(57)【要約】【課題】支柱を管杭の底面に垂直に立設させることが容易で、工事期間中に支柱を三脚等で別途支持しなくても、支柱が傾斜することもなく、そのため、支柱周辺に確保が必要な作業エリアが少なくて済む、機器類の支柱装置を提供する。【解決手段】中空筒状体と、筒状体の上端近傍に設けられた支柱本体支持部と、筒状体の下端近傍であって筒状体に対して支柱本体支持部と直線芯合わせ位置に設けられ、支柱の下端部と当接して支柱下端部を所定位置からずれないようにして支持する支柱下端支持部と、上端面開放側から挿入され支柱本体支持部と支柱下端支持部とにより同時に支持され筒状体の底面に垂直に立設される支柱と、筒状体に支柱を立設させた状態で筒状体内部に投入固化され重量基礎部を成す硬化体と、を備える。【選択図】図４ 
0003111247.tif 000002
【実用新案登録請求の範囲】
【請求項１】
地上上空側に突出された支柱の上端側に機器類を取り付ける機器類の支柱装置であり、
軸心を縦方向にして地中に埋設され少なくとも上端面を開放する中空筒状体と、
筒状体の上端近傍に設けられ筒状体の軸心に沿って筒状体内部に立てられる支柱の上下中間部と当接して該支柱を支持する支柱本体支持部と、
筒状体の下端近傍であって筒状体に対して支柱本体支持部と直線芯合わせ位置に設けられ、支柱の下端部と当接して支柱下端部を所定位置からずれないようにして支持する支柱下端支持部と、
上端面開放側から挿入され支柱本体支持部と支柱下端支持部とにより同時に支持され筒状体の底面に垂直に立設される支柱と、
筒状体に支柱を立設させた状態で筒状体内部に投入固化され重量基礎部を成す硬化体と、を備えたことを特徴とする機器類の支柱装置。
【請求項２】
支柱本体支持部が、筒状体の上端開放面に横架され、その両端を筒状体の上端縁に固定して設けられた棒部材と、該棒部材に基部を取り付けられて内側に支柱を嵌挿させる環状空間を形成するＵ字杆と、を含むことを特徴とする請求項１記載の機器類の支柱装置。
【請求項３】
支柱下端支持部が、支柱本体支持部を嵌挿して下降される支柱の下端を受けて位置決めする位置決め構造を有することを特徴とする請求項２記載の機器類の支柱装置。
【請求項４】
位置決め構造が、筒状体の円形下端開放面に直径方向に横架され、その両端を筒状体の下端縁に固定して設けられた２個のアングル部材と、該アングル部材に直角状に固定された複数の他のアングル部材と、を含むことを特徴とする請求項３記載の機器類の支柱装置。
【考案の詳細な説明】
【技術分野】
【０００１】
本考案は、照明灯や信号機等の支柱を地面に立設する際に、それらを支持する機器類の支柱装置に関するものである。
【背景技術】
【０００２】
従来、照明灯や信号機等の支柱を地面に立設する際に、地面に縦穴を掘削し、該縦穴内の底部に砕石を入れて、縦穴に、例えば管杭を嵌入固定し、その管杭内に中込め砕石又は中込コンクリートを充填して管内基礎を形成し、さらにその管杭内に支柱の下端部を挿入して管内基礎に支持せしめ、更に該支柱の下端部と管杭内周面に、例えば中込めコンクリートを注入して支柱を固定する工法がとられていた。しかし、上記工法による場合には、管杭を縦穴の内周面で直接拘束する構造を採っているが、縦穴が傾斜して掘削されると、これに応じて管杭も傾いて立設され、支柱の直立に支障を来たす問題や、地盤による管杭並びに支柱支持強度に信頼性を欠き、縦穴内周面が部分的に崩れ落ちて巣を形成する問題があった。これらの問題に対して、例えば、特許文献１による提案がされている。
【特許文献１】特開２００４−１９０２４１
【考案の開示】
【考案が解決しようとする課題】
【０００３】
しかしながら、この特許文献１の地面立設主柱の基礎構造によれば、管杭の上端側では支柱を支持バー等で支持しているが、支柱の下端側においては支柱の下端面を管内基礎の上面と当接させて支持し直立させているだけなので、支柱が下端部側で動いて傾斜することもあり、立設工事の際には、中込コンクリートの注入作業から該コンクリートが固化するまでの間の数日間に亘って、支柱の地面からある程度上側部分を三脚等で別途支持して支柱が傾斜することを防止せざるを得なかった。そのため、管杭の埋設工事が終了した後でも、コンクリートの注入から固化するまでの期間中は支柱を中心として、三脚の脚を広げた程度の範囲内は作業エリアとして確保する必要があった。さらに、通行人がその作業エリア内に侵入して怪我をしたりコンクリート固化の妨げにならないように、そのエリアの周辺には立ち入りを規制する措置も必要となる等、特に通行量の多い歩道等での工事が困難になる問題や、通行人等の妨げになったりする等の問題があった。また、特許文献１によれば、縦穴を掘削して管杭を埋設した後に、管杭内の途中まで中込砕石を充填するため、その砕石の確保・運搬、および充填作業にいたる工程が必要で工期も長くなり、コストも高くなるという問題があった。さらに、特許文献１によれば、管杭の上端側に設けられた支持バーで支柱を支持する際には、管杭を嵌入固定後に支持バーに支柱を溶接する作業或いは、螺子止めする作業が必要となり、現場での作業が複雑になるという問題や、その分工期も延びまたコストも高くなるという問題があった。
【０００４】
本考案は上記従来の課題に鑑みてなされたものであり、その一つの目的は、工事期間中に支柱を三脚等で別途支持しなくても、支柱が傾斜することもなく、そのため、支柱周辺に確保が必要な作業エリアが少なくて済む、機器類の支柱装置を提供することにある。また、本考案の他の目的は、管杭内に中込砕石等の充填が不要で、なおかつ、支柱を管杭の底面に垂直に立設させることが容易な機器類の支柱装置を提供することにある。
【課題を解決するための手段】
【０００５】
上記の目的を達成するために、本考案は、地上上空側に突出された支柱１６の上端側に機器類２４を取り付ける機器類の支柱装置であり、軸心２２を縦方向にして地中に埋設され少なくとも上端面４６を開放する中空筒状体１０と、筒状体１０の上端２６近傍に設けられ筒状体の軸心２２に沿って筒状体内部に立てられる支柱１６の上下中間部４０と当接して該支柱１６を支持する支柱本体支持部１２と、筒状体１０の下端２８近傍であって筒状体１０に対して支柱本体支持部１２と直線芯合わせ位置に設けられ、支柱の下端３０部と当接して支柱下端３０部を所定位置からずれないようにして支持する支柱下端支持部１４と、上端面４６開放側から挿入され支柱本体支持部１２と支柱下端支持部１４とにより同時に支持され筒状体の底面３２に垂直に立設される支柱１６と、筒状体１０に支柱１６を立設させた状態で筒状体内部に投入固化され重量基礎部を成す硬化体１８と、を備えた機器類の支柱装置から構成される。
【０００６】
また、その際に、支柱本体支持部１２が、筒状体の上端開放面４６に横架され、その両端を筒状体の上端縁４８に固定して設けられた棒部材４２と、該棒部材４２に基部５４、５４を取り付けられて内側に支柱１６を嵌挿させる環状空間５６を形成するＵ字杆４４と、を含む構成としてもよい。
【０００７】
また、支柱下端支持部１４が、支柱本体支持部１２を嵌挿して下降される支柱の下端３０を受けて位置決めする位置決め構造７８を有する構成としてもよいし、その際、位置決め構造７８が、筒状体の円形下端開放面６２に直径方向に横架され、その両端を筒状体の下端縁６６に固定して設けられた２個のアングル部材５８ａ、５８ｂと、該アングル部材５８ａ、５８ｂに直角状に固定された複数の他のアングル部材６０ａ、６０ｂと、を含む構成としてもよい。
【考案の効果】
【０００８】
本考案の装置によれば、地上上空側に突出された支柱の上端側に機器類を取り付ける機器類の支柱装置であり、軸心を縦方向にして地中に埋設され少なくとも上端面を開放する中空筒状体と、筒状体の上端近傍に設けられ筒状体の軸心に沿って筒状体内部に立てられる支柱の上下中間部と当接して該支柱を支持する支柱本体支持部と、筒状体の下端近傍であって筒状体に対して支柱本体支持部と直線芯合わせ位置に設けられ、支柱の下端部と当接して支柱下端部を所定位置からずれないようにして支持する支柱下端支持部と、上端面開放側から挿入され支柱本体支持部と支柱下端支持部とにより同時に支持され筒状体の底面に垂直に立設される支柱と、筒状体に支柱を立設させた状態で筒状体内部に投入固化され重量基礎部を成す硬化体と、を備えた構成であるから、工事期間中に支柱を三脚等で別途支持しなくても支柱が傾斜することもないので、支柱周辺に三脚等の設置スペースを確保する必要もなく、工事に必要な作業エリアが少なくて済む。また、支柱下端面は支柱下端支持部と当接して支柱が支持されるので、管杭内に中込砕石等の充填を行う必要がなく、工期短縮や低コスト化を図ることができる。
【０００９】
また、支柱本体支持部が、筒状体の上端開放面に横架され、その両端を筒状体の上端縁に固定して設けられた棒部材と、該棒部材に基部を取り付けられて内側に支柱を嵌挿させる環状空間を形成するＵ字杆と、を含む構成であるから、該筒状体を地中に埋設した後に、支柱を該Ｕ字杆に嵌挿させるだけで、支柱の上下中間部で支柱を支持できるので、現場での作業が容易となり、工期短縮や低コスト化を図ることができる。
【００１０】
支柱下端支持部が、支柱本体支持部を嵌挿して下降される支柱の下端を受けて位置決めする位置決め構造を有する構成であるから、該支柱本体支持部に支柱を嵌挿した後に、支柱の下端部を支柱下端支持部の所定の場所に当接させれば、支柱の下端部の位置が決まり、その位置から支柱の下端部が動くこともなく、したがって工事期間中も支柱は傾斜することもないので、三脚等で支柱を別途支持する必要もないので、支柱周辺に必要な作業エリアが少ない工事の実効化を図ることができる。また、支柱を該筒状体の底面に垂直に立設させる作業の容易化を図ることができる。
【００１１】
また、位置決め構造が、筒状体の円形下端開放面に直径方向に横架され、その両端を筒状体の下端縁に固定して設けられた２個のアングル部材と、該アングル部材に直角状に固定された複数の他のアングル部材と、を含む構成であるから、該アングル部材で支柱下端部を囲むようにすることで、容易に支柱下端部の位置を決めることができるとともに、支柱下端部の動きを確実に規制することができる。また、簡単な部材で構成されているので、機器類の支柱装置を低コストで提供することができる。
【考案を実施するための最良の形態】
【００１２】
以下、添付図面を参照しつつ本考案を実施するための最良の形態について説明する。本実施形態において、機器類の支柱装置は、中空筒状体１０と、支柱本体支持部１２と、支柱下端支持部１４と、支柱１６と、硬化体１８と、を含む。図1ないし図4に示すように、中空筒状体１０は、地中に埋設されて支柱装置の基礎枠部となる、支柱基礎枠部である。図２、５に示すように、中空筒状体１０は、軸心２２を縦方向にして、その上端２６が略ＧＬとなる深さで地中に埋設され、中空筒状体１０内に立設した支柱１６を支持している。図１，３，４において、中空筒状体１０は、略６０cm程度の直径で、略８０cm〜１００cm程度の高さの両端が開放し、その上下開放面４６、６２が平行となっている中空円筒体で形成される。中空筒状体１０の形状・寸法は、本実施形態の形状に限らず、上端近傍と下端近傍に支柱本体支持部１２および支柱下端支持部１４をそれぞれ設けることができれば中空角筒体等の形状であってもよいし、支柱の高さ及び径や、支柱および機器類を含めた重量に応じた重量基礎部を形成できる所要の寸法であればよい。また、本実施形態において、中空筒状体１０は、鋼管製で形成されるが、該筒状体内にコンクリートを充填しても形状を維持できる剛性があれば、ステンレス製、合成樹脂製であってもよい。本実施形態において、中空円筒体の壁面には凹凸を設けていないが、必要に応じて強度向上のため凹凸を設けた壁面であってもよいし、その凹凸が円筒体周壁面にスパイラル状に周回して形成されていてもよい。
【００１３】
本実施形態において、支柱１６は、その上端側に照明灯や信号機等の交通標識等の機器類２４を取り付ける機器類取り付け部材である。図４，５に示すように、支柱１６は、筒状体の底面３２に垂直に立設させ、後述の支柱本体支持部１２および支柱下端支持部１４とで同時に支持されて、該筒状体の軸心２２に沿って筒状体上端３４から上方に突出して設けられている。そして、本実施形態においては、支柱１６の上端側に機器類取り付け用の梁部材３６を設けて、その梁部材３６に信号機２４を取り付けている。本実施形態において、支柱１６は、略６ｍ程度の長さのスティール製円筒パイプで形成されるが、本実施形態の支柱に限らず、照明灯・信号機等の機器類を取り付けるための所要の高さを有し、機器類を取り付けても曲がったりせず、台風程度の強風でも毀損しない程度の強度を有するものであれば、ステンレス製その他の金属製、あるいは合成樹脂製で形成されていてもよい。また、円筒パイプに限らず角筒パイプであってもよい。
【００１４】
本実施形態において、支柱本体支持部１２は、上述した支柱１６の上下中間部４０を支持する支柱本体支持手段である。図１，２，４に示すように、支柱本体支持部１２は、筒状体の上端２６近傍に設けられて、支柱１６の上下中間部４０、より詳しくは、支柱下端３０から上方に筒状体の上端２６の高さ位置の上下中間部分４０と当接して、支柱１６を支持している。本実施形態において、支柱本体支持部１２は、棒部材４２と、Ｕ字杆４４と、を含む。図１，２，４に示すように、棒部材４２は、後述のＵ字杆４４を所定の位置に設けるための、取り付け部材である。図１，２，４において、棒部材４２は、筒状体の上端開放面４６の直径よりやや短い長さの断面Ｌ字状の長板部材を、筒状体の上端開放面４６に横架して形成される。具体的には、筒状体の軸心２２と支柱１６の軸心とを一致させて支柱１６を立設させた場合に、該長板部材の断面Ｌ字の縦板材の外側面５２が支柱１６の周側面と接する態様で、その両端を筒状体の上端縁４８に溶接で固定して設けられている。棒部材４２の形状は、本実施形態の断面Ｌ字状の長板部材に限らず、後述のＵ字杆を所定の位置に設けることができれば、丸棒材、角棒材、薄板材等であってもよい。本実施形態において、棒部材は、スティール製で形成されるが、筒状体の上端に固定できて、後述のＵ字杆４４を棒部材の所定の位置に設けることができ、支柱を支持できる程度の強度があれば、ステンレス製その他の金属製、合成樹脂製であってもよい。
【００１５】
本実施形態において、Ｕ字杆４４は、棒部材４２に取り付けられて、支柱１６を嵌挿させる環状保持空間５６を形成する環状保持空間形成部である。図１，４に示すように、Ｕ字杆４４は、両端基部５４、５４の所要範囲の外周に螺子切りをした断面丸長棒材を、Ｕ字の円弧径が支柱１６の径に略等しくなるように該断面丸棒材の長さ方向の中心近傍において折曲して形成される。そして、該Ｕ字杆は、該Ｕ字杆４４の両端基部５４、５４を上述した断面Ｌ字の縦板材５０に取り付けた場合に、筒状体の軸心２２が該Ｕ字杆４４と該縦板材５０とで形成される環状面５５の中心を通り、該環状面５５と筒状体の上下端開放面４６、６２とが平行となる態様で、該縦板材５０に螺子４５で固定している。したがって、Ｕ字杆４４と、棒部材４２とで、その内側に支柱１６を嵌挿させる環状空間５６を形成する。本実施形態において、Ｕ字杆４４は、断面丸長棒をＵ字状に折曲して形成されるが、支柱に嵌挿されて支柱上下中間部を支持できれば、薄板材をＵ字状に打ち抜いて形成してもよい。また、本実施形態において、Ｕ字杆４４は、該棒部材４２と螺子止めで固定されているが、螺子止めに限るものではなく、溶接で固定されていてもよい。また、本実施形態において、Ｕ字杆は、スティール製で形成されるが、該棒部材に固定できて、該環状空間に支柱を嵌挿させて支持できる強度があれば、ステンレス製その他の金属製、あるいは、合成樹脂製であってもよい。
【００１６】
本実施形態において、支柱下端支持部１４は、支柱の下端３０を受けて支柱下端部の支持をする支柱下端支持手段である。図２，３，４に示すように、支柱下端支持部１４は、筒状体１０の下端２８近傍に設けられて、支柱の下端３０部と当接して支柱１６を支持している。本実施形態において、支柱下端支持部１４は、２個のアングル部材（以下「Ａアングル部材」という。）５８ａ、５８ｂと、他のアングル部材（以下「Ｂアングル部材」という。）６０ａ、６０ｂと、を含む位置決め構造を有している。本実施形態において、Ａアングル部材５８ａ、５８ｂは、筒状体の円形下端開放面６２において支柱下端３０の位置を決めるための位置決め部材である。図２、３、４において、Ａアングル部材５８ａ、５８ｂは、筒状体の円形下端開放面６２の直径よりやや短い長さの断面Ｌ字状の長板部材を、筒状体の円形下端開放面６２に直径方向に横架して形成される。具体的には、図２，３，４に示すように、筒状体の軸心２２と支柱１６の軸心とを一致させて該円形下端開放面６２に垂直に支柱１６を立設させた場合に、該長板部材の断面Ｌ字の縦板材の内側面７４ａ、７４ｂどうしが対向する平行面で支柱下端３０を挟持し、かつ、断面Ｌ字の横板材７６ａ、７６ｂの上側面が、それぞれ支柱下端３０と当接する態様で、筒状体の円形下端開放面６２に直径方向に横架して、それぞれの両端を筒状体の下端縁６６に溶接で固定されて設けられている。
【００１７】
本実施形態において、Ｂアングル部材６０ａ、６０ｂは、上述したＡアングル部材５８ａ、５８ｂに直角に設けられて、支柱下端３０の動きを規制する規制部材である。図２，３，４に示すように、Ｂアングル部材６０ａ、６０ｂは、支柱下端３０の直径と同じ長さの断面Ｌ字状の長板部材を、上述したＡアングル部材５８ａ、５８ｂと直角方向で、該Ａアングル部材５８ａ、５８ｂに固定して設けている。具体的には、Ｂアングル部材６０ａ、６０ｂは、図２，３，４に示すように、筒状体の軸心２２と支柱１６の軸心とを一致させて該円形下端開放面６２に垂直に支柱１６を立設させた場合に、該長板部材の断面Ｌ字の縦板材の外側面５２ｃ、５２ｄどうしが、対向する平行面で支柱下端３０を挟持する態様で、該横板材７６ｃ、７６ｄをＡアングル部材の横板材７６ａ、７６ｂに螺子８０止めして固定して設けられている。
【００１８】
したがって、図３に示すように、支柱下端３０は、該断面Ｌ字の縦板材７０ａ、７０ｂ、７０ｃ、７０ｄで囲まれて横方向の動きが規制され、また、該断面Ｌ字の横板材７６ａ、７６ｂと当接して下降する動きが規制され、所定の位置にその位置を決めることができる。すなわち、これらの部材によって位置決め構造８０を形成する。そのため、本考案の機器類の支柱装置によれば、工事期間中に支柱を三脚等で別途支持しなくても支柱が傾斜することもないので、工事期間中の作業エリアを少なくできる。また、上述したＡアングル部材の断面Ｌ字の横板材７６ａ、７６ｂの上側面が、それぞれ支柱下端３０と当接して支柱を支持しているので、筒状体１０内に中込砕石等の充填を行う必要がなく、工期短縮や低コスト化を図ることができる。
【００１９】
さらに、筒状体１０の軸心は、筒状体の上端２６では支柱本体支持部１２のＵ字杆４４で形成される環状面５５の中心を通り、筒状体の下端２８では支柱下端支持部１４の上述した正四角形の中心を通るので、支柱下端支持部１４は支柱本体支持部１２と直線芯合わせ位置に設けられ、支柱本体支持部１２を嵌挿して下降される支柱の下端３０を受けて位置決めできる。したがって、筒状体１０に支柱１６を立設させる作業を容易におこなうことができる。本実施形態において、Ａ、Ｂアングル部材はスティール製で形成されるが、支柱の荷重を受けても変形しない程度の強度があれば、ステンレスその他の金属製、合成樹脂製であってもよい。
【００２０】
本実施形態において、硬化体１８は、地中に埋設されて筒状体１０と一体に支柱装置の重量基礎部を形成する基礎重量形成手段である。本実施形態において、硬化体１８は、図５に示すように、筒状体１０の内部に支柱１６を立設させた状態でコンクリート材を充填・硬化させて形成される。そして、硬化後は支柱下端部と一体となって重量基礎部を形成し、機器類２４を支柱に取り付けた状態でも支柱１６が倒壊しないように支持している。
【００２１】
次に、本実施形態による機器類の支持装置の作用について説明する。まず、支柱を立設させる場所に筒状体１０の高さよりやや深い縦穴を掘削する。次に、支柱本体支持部１２および支柱下端部支持部１４を設けた筒状体１０を、筒状体の軸心をＧＬと垂直にし、筒状体上端２６がＧＬよりやや下側になる程度の深さに埋設する。この際、筒状体の沈降防止のため等の必要に応じて、上記縦穴の底部に砕石を敷設してもよい。次に、支柱下端３０部を該Ｕ字杆４４に嵌挿させながら支柱１６を下降させ、支柱下端３０部を上述した所定位置に挿入する。その後、筒状体１０内にコンクリートを充填し、固化させる。したがって、支柱下端３０部を該Ｕ字杆４４に嵌挿させながら支柱１６を下降させ、支柱下端３０部を上述した所定位置に挿入するだけで、支柱の上下中間部４０および下端３０部で同時に支柱１６を支持できるので、従来行っていたような、工事現場で支柱と支持バーを溶接する作業が不要となり、作業容易化や工期短縮および低コスト化を図ることができる。また、工事期間中に支柱１６を三脚等で別途支持しなくても支柱が傾斜することもないので、支柱周辺に三脚等の設置スペースを確保する必要もなく、工事に必要な作業エリアが少なくて済む。さらに、支柱下端３０はＡアングル部材の断面Ｌ字の横板材７６ａ、７６ｂと当接して支柱が支持されるので、管杭内に中込砕石等の充填を行う必要がなく、工期短縮や低コスト化を図ることができる。
【００２２】
以上説明した本考案の機器類の支持装置は、上記した実施形態のみの構成に限定されるものではなく、実用新案登録請求の範囲に記載した本考案の本質を逸脱しない範囲において、任意の改変を行ってもよい。
【産業上の利用可能性】
【００２３】
本考案の機器類の支持装置は、一般道路のみならず、公園あるいは学校その他の公共施設にいたるまで幅広く活用できる。
【図面の簡単な説明】
【００２４】
【図１】本考案の実施形態に係る機器類の支柱装置の上端部の平面図である。
【図２】本考案の実施形態に係る機器類の支柱装置のＡ−Ａ断面図である。
【図３】本考案の実施形態に係る機器類の支柱装置のＢ−Ｂ断面図である。
【図４】本考案の実施形態に係る機器類の支柱装置の一部を切り欠いた斜視図である。
【図５】本考案の実施形態に係る機器類の支柱装置の使用状態の説明図である。
【符号の説明】
【００２５】
１０  筒状体
１２  支柱本体支持部
１４  支柱下端支持部
１６  支柱
１８  硬化体
２２  筒状体の軸心
２４  機器類
２６  筒状体の上端
２８  筒状体の下端
３０  支柱下端
３２  筒状体の底面
４０  上下中間部
４２  棒部材
４４  Ｕ字杆
４６  筒状体の上端面
４８  筒状体の上端縁
５４  基部
５６  環状空間
５８ａ、５８ｂ  ２個のアングル部材
６０ａ、６０ｂ  他のアングル部材
６２  円形下端開放面
６６  筒状体の下端縁
７８  位置決め構造
【図１】
0003111247.tif 000003
【図２】
0003111247.tif 000004
【図３】
0003111247.tif 000005
【図４】
0003111247.tif 000006
【図５】
0003111247.tif 000007